(57)【特許請求の範囲】
【請求項１】
異なる複数のゲーム用のコートがそれぞれ表示されたマットと、前記マット上に配される複数のゲート及び標識と、マット上を滑りながら移動する円盤チップと、前記円盤チップを打撃するスティックとを備えたことを特徴とするゲーム盤。
【請求項２】
異なる複数のゲーム用のコートがそれぞれ表示されたマットと、前記マット上に配される複数のゲート及び標識と、マット上を滑りながら移動する円盤チップと、前記円盤チップを打撃するスティックとを備え、
前記円盤チップの中心部に錘が埋め込まれていることを特徴とするゲーム盤。
【請求項３】
異なる複数のゲーム用のコートがそれぞれ表示されたマットと、前記マット上に配される複数のゲート及び標識と、マット上を滑りながら移動する円盤チップと、前記円盤チップを打撃するスティックとを備え、
前記円盤チップの下面外周縁に面取り部が形成されていることを特徴とするゲーム盤。
【請求項４】
異なる複数のゲーム用のコートがそれぞれ表示されたマットと、前記マット上に配される複数のゲート及び標識と、マット上を滑りながら移動する円盤チップと、前記円盤チップを打撃するスティックとを備え、
前記円盤チップにはその中心部に錘が埋め込まれていると共に下面外周縁に面取り部が形成されていることを特徴とするゲーム盤。
【請求項５】
前記マット上には、ゲートボール、グランドゴルフ、カーリング及びダルマ落しのいずれのゲームも行なうことのできるコートがそれぞれ表示されたことを特徴とする請求項１乃至４のいずれかに記載のゲーム盤。
【請求項６】
前記ゲート及び標識が、ゲート部及び標識部と、これらゲート部及び標識部を立たせて保持するそれぞれのホルダ部とで構成され、ゲーム時にはホルダ部をマットに設けた取付孔にマットの下面側から差し込むことを特徴とする請求項１乃至４のいずれかに記載のゲーム盤。
【請求項７】
前記円盤チップのマットとの接触面には、その面内に同心円状の溝が形成されていることを特徴とする請求項１乃至４のいずれかに記載のゲーム盤。
【請求項８】
前記スティックが、アルミニウム材で形成された第１の打撃面と、真鍮材で形成された第２の打撃面を備えることを特徴とする請求項１乃至４のいずれかに記載のゲーム盤。
【発明の詳細な説明】
【０００１】
【発明の属する技術分野】
【０００２】
【従来の技術】
従来、実際の競技コートを縮小した盤上でボールを転がして得点を競うゲーム盤が多く考案されている。例えば、卓上型のゲートボール盤のように、盤上にコートラインを引き、ゲートやゴールの標識等を立設し、専用のスティックでボールを転がすような実際のゲームを模したものがある。
【０００３】
上記ゲーム盤としては、例えば実開昭６０−１４９６８２号に開示されたゲートボール玩具がある。このゲートボール玩具１は、図１０に示すように、マット状のゲーム用コート２と、複数のゲート部材３やゴール標識部材４と、ボール５と、スティック部材６とで構成され、ゲートボールの競技を卓上で実戦同様行なえるというものである。
【０００４】
【発明が解決しようとする課題】
しかしながら、上記従来のゲートボール玩具１にあっては、実戦と同じ球形のボール５を使用しているため、狭いコート２内では打つ方向や力加減でボール５が跳ねてコートから落ちてしまったり、また、ボール５が惰性で転がって静止しにくいことから、実際のゲートボール競技のような雰囲気を得ることができなかった。
【０００５】
また、コートの表示がゲートボールに限定されているため、ゲートボール以外のゲームには使用しにくいものであった。
【０００６】
そこで、本発明の目的は、マット上を移動するゲーム用のこまが惰性で転がったりマットから落ちたりしないようにして、狭いコート上でも快適に遊べるようなゲーム盤を提供することにある。
また、本発明の他の目的は、１つの盤上で複数のゲームで遊べることのできるゲーム盤を提供することにある。
【０００７】
【課題を解決するための手段】
上記課題を解決するために、本発明者はマット上で動かすゲーム用のこまとして、上記従来のボールの代わりに円盤状のチップを使用することで、チップを打撃した時にその打撃力に応じた動きがマット上で得られるようにした。具体的には請求項１の発明は、異なる複数のゲーム用のコートがそれぞれ表示されたマットと、前記マット上に配される複数のゲート及び標識と、マット上を滑りながら移動する円盤チップと、前記円盤チップを打撃するスティックとを備えたことを特徴とするゲーム盤によって上記課題を解決した。
【０００８】
この発明によれば、マット上を動くこまが円盤状に形成されたチップであるため、マット面との間で適度な抵抗を持つ。その結果、スティックで打撃してもマット上から転がり落ちたり、惰性で動くこともない。また、ゲートや標識に衝突しても過度に跳ね返ることがなく、実際の競技に則したゲームを楽しむことができる。
【０００９】
請求項２の発明は、請求項１に記載のゲーム盤において、円盤チップの中心部に錘が埋め込まれていることを特徴とする。
【００１０】
この発明によれば、円盤チップの重心が安定すると共に適度の重さを付与することができ、スティックでの打撃力に応じた動きを円盤チップにさせることができる。
【００１１】
請求項３の発明は、請求項１に記載のゲーム盤において、円盤チップの下面外周縁に面取り部が形成されていることを特徴とする。
【００１２】
この発明によれば、円盤チップがマット上を滑り動く際に円盤チップの外周縁がマットに引っ掛かることがないので、円盤チップが反転したり転がったりすることなく滑らかに動く。
【００１３】
請求項４の発明は、請求項１に記載のゲーム盤において、円盤チップにはその中心部に錘が埋め込まれていると共に下面外周縁に面取り部が形成されていることを特徴とする。
【００１４】
この発明によれば、上述した請求項２及び３の作用効果が同時に得られることになる。
【００１５】
請求項５の発明は、請求項１乃至４のいずれかに記載のゲーム盤において、前記マット上には、ゲートボール、グランドゴルフ、カーリング及びダルマ落しのいずれのゲームも行なうことのできるコートがそれぞれ表示されたことを特徴とする。
【００１６】
この発明によれば、マット上に複数のゲーム用のコートがそれぞれ表示されているので、１つのマットで幾通りものゲームを楽しむことができる。
【００１７】
請求項６の発明は、請求項１乃至４のいずれかに記載のゲーム盤において、前記ゲート及び標識が、ゲート部及び標識部と、これらゲート部及び標識部を立たせて保持するそれぞれのホルダ部とで構成され、ゲーム時にはホルダ部をマットに設けた取付孔にマットの下面側から差し込むことを特徴とする。
【００１８】
この発明によれば、ゲート及び標識を常に正確な位置に設置できると共にゲーム中にも位置がずれるといったことがない。
【００１９】
請求項７の発明は、請求項１乃至４のいずれかに記載のゲーム盤において、前記円盤チップのマットとの接触面には、その面内に同心円状の溝が形成されていることを特徴とする。
【００２０】
この発明によれば、同心円状の溝があることで、マット面と円盤チップとの間に適度の摩擦力が生じ、円盤チップを強く打撃したときの滑り過ぎが防止される。
【００２１】
請求項８の発明は、請求項１乃至４のいずれかに記載のゲーム盤において、前記スティックが、アルミニウム材で形成された第１の打撃面と、真鍮材で形成された第２の打撃面を備えることを特徴とする。
【００２２】
この発明によれば、１本のスティックで反発力の異なる２つの打撃面を得ることができる。このため、ゲームの種類やプレイヤの好みに応じて使い分けができ、プレイ内容に変化を持たせることができる。
【００２３】
【発明の実施の形態】
以下、添付図面に基づいて本発明に係るゲーム盤の実施形態を詳細に説明する。図１乃至図９は一実施形態に係るゲーム盤の概要を示したものであり、図１はゲーム盤全体の斜視図、図２はゲーム盤の平面図である。図３はゲートの構成を示す斜視図、図４はゲートをマット上に立設したときの断面図である。また、図５は標識の構成を示す斜視図、図６は標識をマット上に立設したときの断面図である。図７は円盤チップの外観を示す斜視図、図８は前記円盤チップの断面図、そして図９は前記円盤チップを打撃する時に使用するスティックの外観を示す斜視図である。
【００２４】
この実施形態に係るゲーム盤は、図１及び図２に示したように、マット１１と複数のゲート１７と標識１８と円盤チップ１９とスティック２０とで構成されている。マット１１は表面がフェルト加工された矩形状のシートであり、ゲートボール、グランドゴルフ、カーリング等のゲームがその上で行われる。マット１１は実際のコートを縮小した寸法に形成されるが、前記ゲームを家の中で畳やフローリングの上にマットを広げて行なう点と、実際のゲームに近い感覚で行なうための広さを確保したい点の両方を考慮すると、９０ｃｍ×１３０ｃｍ程度のものが好ましい。
【００２５】
上記マット１１の外周部にはコートライン１２が引かれており、上記各種ゲームはこの中で行われる。また、マット１１の表面には２つのスタート領域１３，１４、１つの得点領域１５、３つのコース領域１６の表示がされている。スタート領域１３はゲートボール用であり、コーナの近くに設定される。スタート領域１４はグランドゴルフ及びカーリング用であり、短辺の中央部付近に設定される。得点領域１５はカーリング用であって前記スタート領域１４と対向する側に設定され、外側から中心に向かって、３，７，１０の点数が表示されている。コース領域１６はグランドゴルフ用のものであり、長辺の両側に▲１▼と▲３▼の二つが設定され、これと対向する長辺の中央部付近に▲２▼が設定される。そして、スタート領域１４から打った円盤チップ１９を先ずコース領域１６の▲１▼に入れ、次いで▲２▼▲３▼の順序で入れていく。上述した各領域の表示は、マット１１上に直接ペイントや印刷をするか、あるいはテープ等を貼り付けたものである。
【００２６】
上記の表示がなされたマット１１上にはゲート１７や標識１８が立設される。ゲート１７は主にゲートボールのゲート用として使用されるもので、ゲートボールのルールに則って、マット１１上の所定位置に立設される。このゲート１７は図３及び図４に示したように、ゲート部２６と、これをマット１１上に立たせて保持するゲートホルダ２２とで構成される。ゲート部２６は、金属製あるいはプラスチック製の丸棒をコの字形に折り曲げ、両方の先端に挿入孔３０を設けたものである。一方、ゲートホルダ２２は、平板状の台座２４と、前記ゲート部２６の挿入孔３０に対応してその上面に突設された一対の細長い突起部２５とで構成される。
【００２７】
前記のゲート１７をマット１１上に立設する場合には、図４に示したように、先ずマット１１に設けられた貫通孔２１にゲートホルダ２２の突起部２５をマット１１の下面側から差し込み、次にマット１１上に突出している突起部２５にゲート部２６の挿入孔３０を差し込むことでゲート１７を立設することができる。
【００２８】
一方、標識１８はゲートボールのゴール位置を表すもので、マット１１の略中央部に立設される。この標識１８は図５及び図６に示したように、下端部に挿入孔３１が形成された円柱状のポール２７と、台座２８の上面中心部に細長い突起部２９が突設された標識ホルダ２３とで構成される。
【００２９】
上記標識１８をマット１１上に立設する場合には、マット１１に設けられた貫通孔２１にホルダ２３の突起部２９をマット１１の下面側から差し込み、マット１１の上からポール２７の挿入孔３１を突起部２９に差し込むようにする。
【００３０】
上記マット１１上を滑る円盤チップ１９は、図７及び図８に示したように、中心部に錘３２が埋め込まれたプラスチック製のものであり、下面外周縁には曲面状の面取部３３が形成されている。錘３２を中心部に設けたことで、円盤チップ１９のマット１１上での滑り動きが安定したものとなる他、打撃力に応じた滑りが得られる。また、面取部３３を設けたことで円盤チップ１９の外周部がマット１１に引っ掛かることがなく、強く打撃した時にも円盤チップ１９が反転したり、転がったりすることがない。さらに、マット１１と接する円盤チップ１９の下面には同心円の溝条３４が設けられる。この溝条３４にフェルト状のマット１１の毛先が接して摩擦力が大きくなることで、円盤チップ１９の滑り過ぎを防止することができる。なお、円盤チップ１９の上面に凹み３５を設け、その中にチーム毎に色の異なった番号や符号等が表示されたプレート３６やシールなどを貼り付けてもよい。
【００３１】
上記円盤チップ１９の大きさはゲームの種類によって異なり、図７に示したように、ゲートボール用としてはＬ１＝２３ｍｍ、Ｌ２＝９ｍｍ、Ｌ３＝１２ｍｍ程度が適当であり、グランドゴルフやカーリング用としてはＬ１＝３０〜３５ｍｍ、Ｌ２＝９〜１２ｍｍ、Ｌ３＝１４ｍｍが適当である。
【００３２】
上記円盤チップ１９を打撃するためのスティック２０は、図９に示したように、グリップシャフト３８の先端にヘッド３７が取付られたＴ字形状をしている。ヘッド３７はアルミニウム材を用いて円筒状に形成されており、両側面が打撃面になっている。このうち、一方はヘッド３７と同じアルミニウム材の第１の打撃面４０を構成し、他方は中心部に真鍮材３９が埋め込まれた第２の打撃面４１を構成している。前記第１の打撃面４０と第２の打撃面４１は材質が異なるため、打撃したときに円盤チップ１９の滑り方に差が出る。このため、ゲームの種類やプレイヤの好みに応じて使い分けができ、プレイに変化を持たせることができる。
【００３３】
上記構成要素からなるゲーム盤は、ゲートボール、グランドゴルフ、カーリングの他、ダルマ落しゲームにも使用することができる。以上、４種目を行なうための各構成要素のサイズと数量は以下のようになる。
マット１１…  ９００ｍｍ×１３００ｍｍ  １台
ゲート１７…  ５φ×４０ｍｍ  ３本
標識１８…  ５φ×３０ｍｍ  １本
円盤チップ１９…  ２３φ×８ｍｍ  １０個
３５φ×１０ｍｍ  ６個
スティック２０…  １２φ×４０ｍｍ×２２０ｍｍ  ２本
その他、得点表等
【００３４】
以下、各種ゲームの遊び方の一例について、図２に示したゲーム盤の平面図をもとに簡単に説明する。ゲートボールは、２組に分かれた複数のプレイヤがスタート領域１３から円盤チップ１９を交互にスティック２０で打込みながら、第１ゲート５０、第２ゲート５１、第３ゲート５２の順に通過させ、最後の上りの位置である標識１８に早く到達させた方が勝ちとなるゲームである。この円盤チップ１９の打撃に関しては、円盤チップ１９を直接スティック２０で打つ方法と、２つの円盤チップ１９を並べて一方を指で押さえながらスティック２０で打ち、他方の円盤チップ１９を弾き飛ばすスパーク移動の２つの方法がある。
【００３５】
グランドゴルフは、プレイヤがスティック２０と円盤チップ１９を１人１個ずつ持ち、スタート領域１４からコース領域１６の▲１▼→▲２▼→▲３▼の順序に円盤チップ１９をスティック２０で打ち込んでいき、▲３▼に到達するのにかかった打数を競うもので、打数の少ないプレイヤが勝ちとなる。
【００３６】
カーリングは、プレート３６に１から６までの数字を付した６個の円盤チップ１９を用いて行なうゲームで、２人のプレイヤで行なう場合は３個ずつ、６人で行なう場合は１個ずつ確保して行なう。スタート領域１４から得点領域１５に向けてスティック２０で円盤チップ１９を打ち込み、味方の円盤チップ１９を得点領域１５内に進めると同時に敵方の円盤チップ１９を得点領域１５から弾き飛ばし、最終的に得点領域１５内に残っている円盤チップ１９の点数を競うものである。
【００３７】
ダルマ落しは、同一サイズの円盤チップ１９を６個程度縦方向に積み上げ、スティック２０で最下段の円盤チップ１９から叩いて落とすゲームである。円盤チップ１９に適度の重量があるので、このような遊びにも利用することができる。
【００３８】
【発明の効果】
以上説明したように、本発明に係るゲーム盤によれば、マット上に複数のゲームコートが表示されているので、１つのマットでいく通りものゲームが楽しめる。また、マット上を移動するこまが、従来の球形のボールではなく円盤状に形成されたチップで、しかも、中心に錘を有すること、マットとの接触面である外円周縁が丸い面取り形状であること、マットとの接触面に同心円状の溝を設けたこと等により、滑らかな滑りと同時に適度な制動効果も期待でき、快適にゲームを楽しむことができる。
【図面の簡単な説明】
【図１】本発明に係るゲーム盤の外観を示す斜視図である。
【図２】上記ゲーム盤の平面図である。
【図３】上記ゲーム盤におけるゲートの構成を示す斜視図である。
【図４】前記ゲートをマット上に立設したときの断面図である。
【図５】上記ゲーム盤における標識の構成を示す斜視図である。
【図６】前記標識をマット上に立設したときの断面図である。
【図７】上記ゲーム盤における円盤チップの外観を示す斜視図である。
【図８】前記円盤チップの断面図である。
【図９】上記ゲーム盤におけるスティックの外観を示す斜視図である。
【図１０】従来のゲートボール用ゲーム盤の外観を示す斜視図である。
【符号の説明】
１１  マット
１２  コートライン
１３，１４  スタート領域
１５  得点領域
１６  コース領域
１７  ゲート
１８  標識
１９  円盤チップ
２０  スティック
【図１】
0003762182.tif 000002
【図２】
0003762182.tif 000003
【図３】
0003762182.tif 000004
【図４】
0003762182.tif 000005
【図５】
0003762182.tif 000006
【図６】
0003762182.tif 000007
【図７】
0003762182.tif 000008
【図８】
0003762182.tif 000009
【図９】
0003762182.tif 000010
【図１０】
0003762182.tif 000011